(57)【要約】      （修正有） 【課題】長期に亙ってゴルフボールを良好に集球しうる集球シートを提供する。【解決手段】この集球シートは、表地と裏地、及び連結糸３で構成されてなるダブルラッセル編地よりなる。表地は、二本の鎖編糸で編成された編糸７によって、六角形状の透かし目を持つメッシュ状の組織となっている。裏地は、鎖編糸６ｍと挿入糸とで編成されたプレーンな組織である。連結糸３は、二枚の筬によって、表地の編糸７から左右に３ａ及び３ｂとして延出している。連結糸３ａ及び３ｂは、間隔を置いて、すなわち一本以上の鎖編糸６ｍを挟んで、裏地の鎖編糸６ｍ，６ｍを繋いでいる。表地及び裏地を構成している糸条は、耐候剤を練り込んだ原着マルチフィラメント糸条である。連結糸３を構成している糸条は、耐候剤を練り込んだ原着モノフィラメント糸条である。【選択図】 図６
0003130482.tif 000002
【実用新案登録請求の範囲】
【請求項１】
表地と裏地、及び該表地と該裏地とを繋ぐ連結糸で構成されてなるダブルラッセル編地よりなるゴルフ練習場集球シートにおいて、
前記表地は、二本以上の鎖編糸で編成された編糸によって、略六角形状又は略菱形状の透かし目を持つメッシュ状の組織であり、
前記裏地は、鎖編糸と挿入糸とで編成されたプレーンな組織であり、
前記連結糸は、二枚の筬によって、前記表地の編糸から左右に延出して、間隔を置いて前記裏地の鎖編糸を繋ぐ組織となっており、
前記表地及び前記裏地を構成している糸条は、耐候剤を練り込んだ原着マルチフィラメント糸条であり、前記連結糸を構成している糸条は、耐候剤を練り込んだ原着モノフィラメント糸条であることを特徴とするゴルフ練習場集球シート。
【請求項２】
連結糸は、二本以上の原着モノフィラメント糸条が引き揃えられてなるものである請求項１記載のゴルフ練習場集球シート。
【請求項３】
耐候剤が銅系化合物である請求項１又は２記載のゴルフ練習場集球シート。
【請求項４】
原着されたマルチフィラメント糸条及びモノフィラメント糸条を用いる請求項１乃至３のいずれか一項に記載のゴルフ練習場集球シート。
【考案の詳細な説明】
【技術分野】
【０００１】
本考案は、ゴルフ練習場の地表面に敷設される集球シートに関するものである。
【背景技術】
【０００２】
ゴルフ練習場の地表面は、ゴルフボールを所定の箇所に集球するため、一定方向に傾斜が設けられている。そして、この傾斜面上には、ゴルフボールが着地する際に、その損傷を防止するため、クッション性シートが敷設されている。たとえば、天然芝、人工芝生、不織布、ゴムシート、発泡樹脂シート等が敷設されている。
【０００３】
このクッション性シートとして、特許文献１に記載されているダブルラッセル編地も用いられている。ダブルラッセル編地は、クッション性に優れ、しかも通水性が良好である。したがって、ゴルフボールを損傷させにくく、水はけも良好であるため、好ましいものである。
【０００４】
【特許文献１】実用新案登録第２５７２６５５号公報
【考案の開示】
【考案が解決しようとする課題】
【０００５】
しかしながら、特許文献１に記載されているダブルラッセル編地は、表地と裏地とを繋ぐ連結糸が直立しているため、表地に設けられている組織がずれやすいということがあった。組織がずれると、表地を構成している糸条間に砂が入り込み、この状態で再びずれると、糸条が摩擦によって切断しやすくなる。また、ダブルラッセル編地を構成している糸条が、日光等の影響で経時変化を起こして、劣化した場合も、糸条が切断しやすくなる。そして、ダブルラッセル編地を構成している糸条、特に表地を構成している糸条が切断すると、表地の組織が損傷を受け、当初はゴルフボールが転がりやすかったのに、徐々にゴルフボールが転がりにくくなり、自動的に集球できないということがあった。
【０００６】
本考案の課題は、ダブルラッセル編地よりなる集球シートにおいて、表地をずれにくくし、しかも編地を構成している糸条が経時変化を起こしにくくし、もって長期に亙ってゴルフボールを良好に集球しうるようにすることである。
【課題を解決するための手段】
【０００７】
上記課題を解決するため、本考案は、ダブルラッセル編地の表地と裏地とを繋ぐ連結糸を直立させずに、左右両方向から、表地を構成している編糸を支持するように連結させると共に、ダブルラッセル編地を構成する糸条に耐候剤を練り込んで劣化しにくくしたものである。
【０００８】
すなわち、本考案は、表地と裏地、及び該表地と該裏地とを繋ぐ連結糸で構成されてなるダブルラッセル編地よりなるゴルフ練習場集球シートにおいて、前記表地は、二本以上の鎖編糸で編成された編糸によって、略六角形状又は略菱形状の透かし目を持つメッシュ状の組織であり、前記裏地は、鎖編糸と挿入糸とで編成されたプレーンな組織であり、前記連結糸は、二枚の筬によって、前記表地の編糸から左右に延出して、間隔を置いて前記裏地の鎖編糸を繋ぐ組織となっており、前記表地及び前記裏地を構成している糸条は、耐候剤を練り込んだ原着マルチフィラメント糸条であり、前記連結糸を構成している糸条は、耐候剤を練り込んだ原着モノフィラメント糸条であることを特徴とするゴルフ練習場集球シートに関するものである。
【０００９】
本考案は、従来公知のダブルラッセル編機で編成することができる。ダブルラッセル編機で編成されたダブルラッセル編地は、表地１と裏地２、及び表地１と裏地２とを繋ぐ連結糸３で構成されている（図１）。
【００１０】
表地１は、略六角形状又は略菱形状の透かし目４を持つメッシュ状の組織となっている。図２は、六角形状の透かし目４を持つ表地の組織を示したものである。網脚５は、鎖編糸６ａ及び６ｂで編成された編糸７で形成されている（図３）。図３は、編糸７が二本の鎖編糸６ａ及び６ｂで編成されている例を示したが、三本以上の鎖編糸６ａ，６ｂ，６ｃ・・・で形成されていてもよい。
【００１１】
裏地２は、鎖編糸６ｍと挿入糸８とで編成されるプレーンな組織である（図４）。この組織は、ラッセル編の基本的な組織であって、各ウェールに配された鎖編糸６ｍと、各コースに配された挿入糸７とによるたて編組織である。
【００１２】
表地１と裏地２とは、連結糸３で繋がれている。本考案においては、連結糸３は二枚の筬によって供給される。すなわち、連結糸３ａが一つの筬で供給され、連結糸３ｂが他の一つの筬によって供給される。連結糸３ａ及び３ｂは、各々、表地１の編糸７と裏地２の鎖編糸６ｍとを繋いでいる。連結糸３ａ及び３ｂの編組織図は、たとえば、図５に示したとおりである。
【００１３】
連結糸３ａ及び３ｂは、表地１の編糸７の左右に分かれて延出している（図６）。そして、各連結糸３ａ及び３ｂは、裏地２の鎖編糸６ｍに繋がれている。この際、図６に示すように、連結糸３ａが繋がれている鎖編糸６ｍと、連結糸３ｂが繋がれている鎖編糸６ｍとの間には、鎖編糸６ｍが一本又は二本以上存在している。すなわち、連結糸３ａ及び３ｂは、鎖編糸６ｍに一定の間隔を置いて繋がれている。したがって、表地１の編糸７は、左右から連結糸３ａ及び３ｂで支持されていることになる。そして、裏地２がプレーンな組織となっており、形態安定性に優れているので、ずれにくい裏地２を基盤とし、ここから延びている連結糸３ａ及び３ｂによって、左右から編糸７が支持されることになる。この結果、編糸７は左右にずれにくい構造となっている。
【００１４】
以上、本考案に用いるダブルラッセル編地の組織について説明した。次に、編地を構成している糸条について説明する。表地１を構成している糸条は、耐候剤を練り込んだ原着マルチフィラメント糸条である。耐候剤としては、従来公知のものを採用しうる。具体的には、紫外線吸収剤や酸化防止剤、又は両者を併用したものを用いる。紫外線吸収剤としては、ベンゾトリアゾール系化合物、ベンゾフェノン系化合物、シアノアクリレート系化合物、ニッケル系化合物、塩化銅やヨウ化銅等の銅系化合物等を用いることができる。また、酸化防止剤としては、ビンダードアミン系化合物を用いることができる。本考案においては、特に銅系化合物を用いるのが好ましく、ヨウ化銅を用いるのが最も好ましい。耐候剤の練り込みは、マルチフィラメント糸条の原料であるポリマーの重合時に添加してもよいし、重合後のポリマーに添加してもよいし、マルチフィラメント糸条を溶融紡糸する際に添加してもよいし、ダブルラッセル編地を染色又は精錬する際に吸尽してもよい。また、原着は任意の顔料を使用することができるが、このダブルラッセル編地はゴルフ練習場で使用するものであるので、緑色の顔料で原着するのが好ましい。
【００１５】
裏地２を構成している糸条も、耐候剤を練り込んだ原着マルチフィラメント糸条である。使用する耐候剤の種類、耐候剤の練り込み方法、原着の種類等は、表地１と同様である。表地１及び裏地２にマルチフィラメント糸条を用いる理由は、表地１及び裏地２に柔軟性を付与するためである。表地１が剛直であると、クッション性が低下するし、歩行しにくくなる。また、裏地２が剛直であると、ゴルフ練習場の地表面の傾斜に沿いにくくなり、自動的に集球しにくくなる。
【００１６】
連結糸３を構成している糸条は、耐候剤を練り込んだ原着モノフィラメント糸条である。耐候剤の種類、耐候剤の練り込み方法及び原着の種類は、表地１及び裏地２と同様である。表地１及び裏地２と相違するのは、糸条として、原着マルチフィラメント糸条を使用せずに、原着モノフィラメント糸条を使用する点である。この理由は、マルチフィラメント糸条とモノフィラメント糸条とは、その太さ（繊度）が同一であるならば、モノフィラメント糸条の方が高剛性となるからである。すなわち、連結糸３の剛性を高め、表地１の組織をずれにくくするためである。
【００１７】
連結糸３は、モノフィラメント糸条一本であっても良いが、好ましくは二本が引き揃えられているものを用いるのが良い。一本のモノフィラメント糸条よりも、二本のモノフィラメント糸条を引き揃えた方が、高剛性となるからである。また、二本以上であっても差し支えないが、五本以上のように多数本になると、剛性が低下する傾向が生じる。
【考案の効果】
【００１８】
本考案に係る集球シートは、略六角形状又は略菱形状の透かし目を持つメッシュ状の組織を持つ表地と、プレーンな組織である裏地とが、連結糸で繋がれている。そして、連結糸は、表地の編糸を左右方向から支持する状態で、裏地と繋がれている。したがって、表地にゴルフボールが着地して、表地をずらす外力が生じても、裏地の形態安定性が良好であること、及び、連結糸が表地の編糸を左右方向から支持していることによって、表地の組織がずれにくくなっている。表地の組織がずれにくいため、ゴルフボールが着地しても、ずれによって砂等の異物が入りにくくなり、この異物によって表地を構成している糸条が切断しにくくなる。また、本考案に係る集球シートを構成する糸条には、耐候剤が練り込まれている。したがって、日光等に曝されても、経時的劣化が生じにくく、糸条が切断しにくくなっている。よって、糸条の切断によって、表地が損傷しにくくなり、ゴルフボールが転がりにくくなることを防止できる。また、本考案に係る集球シートは、表地及び裏地を構成する糸条としてマルチフィラメント糸条を使用したダブルラッセル編地よりなるので、従来と同様にクッション性と通水性にも優れている。
【００１９】
よって、本考案に係る集球シートは、従来と同様に使用しうると共に、長期に亙って、ゴルフボールが転がりやすく、集球シートの敷設回数を減じることができるという効果を奏する。
【実施例】
【００２０】
以下、本考案を実施例に基づいて説明するが、本考案は、実施例に限定されるものではない。
【００２１】
実施例
（編成機）
１４ゲージ、釜間６ｍｍのダブルラッセル編機
（使用糸条）
表地及び裏地の編成に使用する糸条は、４８０デニール／４８フィラメントの緑色の原着ポリエステルマルチフィラメント糸条（以下、表地に使用する糸条を「表地糸条」といい、裏地に使用する糸条を「裏地糸条」という。）である。連結糸は、２４０デニールの緑色の原着ナイロンモノフィラメント糸条を二本引き揃えたものである。
【００２２】
筬Ｌ１に表地糸条を供給して鎖編糸を編成し、筬Ｌ２に表地糸条を供給して鎖編糸を編成して、両者で編糸を編成し、略六角形状の透かし目を持つメッシュ状の組織からなる表地を編成する。筬Ｌ５に裏地糸条を供給して鎖編糸を編成し、筬Ｌ６で挿入糸を挿入して、プレーンな組織からなる裏地を編成する。筬Ｌ３及びＬ４に連結糸を供給して、表地の編糸と裏地の鎖編糸とを繋いだ。挿入糸の打ち込み数は１８コース／インチとし、この密度で表地及び裏地を編成した。ここで、編成組織は、以下のとおりである。
【００２３】
Ｌ１：３−２／２−３／１−０／２−３／１−０／２−３／１−０／２−３／３−２／４−３／３−２／４−５／３−２／４−５／／
Ｌ２：２−３／３−２／４−５／３−２／４−５／３−２／４−５／３−２／２−３／１−０／２−３／１−０／２−３／１−０／／
Ｌ３：１−０／０−１／０−１／０−１／０−１／０−１／０−１／０−１／０−１／０−１／０−１／０−１／０−１／０−１／１−０／１−０／１−０／１−０／１−０／１−０／１−０／１−０／１−０／１−０／１−０／１−０／１−０／１−０／／
Ｌ４：０−１／１−０／１−０／１−０／１−０／１−０／１−０／１−０／１−０／１−０／１−０／１−０／１−０／１−０／０−１／０−１／０−１／０−１／０−１／０−１／０−１／０−１／０−１／０−１／０−１／０−１／０−１／０−１／／
Ｌ５：１−０／０−１／／
Ｌ６：３−３／０−０／２−２／５−５／／
【００２４】
以上のようにして得られたダブルラッセル編地は、表地がずれにくく、耐候性も良好であり、ゴルフ練習場の集球シートとして好適に使用しうるものである。
【図面の簡単な説明】
【００２５】
【図１】本考案で用いるダブルラッセル編地の模式的斜視図である。
【図２】表地のメッシュ状組織の一例を示した模式的平面図である。
【図３】六角形状の透かし目を持つ表地の編組織図である。
【図４】プレーンな組織を持つ裏地の編組織図である。
【図５】連結糸の編組織図である。
【図６】連結糸が表地と裏地とを連結している状態を示した模式的側面図である。
【符号の説明】
【００２６】
１      表地
２      裏地
３      連結糸（３ａ，３ｂ）
４      透かし目
５      網脚
６ａ    表地の鎖編糸
６ｂ    表地の鎖編糸
６ｍ    裏地の鎖編糸
７      表地の編糸
８      裏地の挿入糸
【図１】
0003130482.tif 000003
【図２】
0003130482.tif 000004
【図３】
0003130482.tif 000005
【図４】
0003130482.tif 000006
【図５】
0003130482.tif 000007
【図６】
0003130482.tif 000008